(57)【要約】【課題】  少ないスペースに配置される複数のスピーカから、高音質な音声を出力することができるようにする。【解決手段】  スピーカ６１−Ｌ１乃至６１−Ｒ３のそれぞれは、他の機器から供給されてくる音声信号を音声に変換して出力する。反射板６３−Ｌ１乃至６３−Ｒ３のそれぞれは、スピーカ６１−Ｌ１乃至６１−Ｒ３のそれぞれから、自分に入射してくる音声が所定の角度で反射されるように、スピーカ６１−Ｌ１乃至６１−Ｒ３のそれぞれに対応して配置され、音声が入射してきた場合、その音声を所定の角度で反射させることで、少ないスペースに配置される複数のスピーカから、高音質な音声を出力することができるようになる。本発明は、音声出力装置および表示システムに適用できる。【選択図】  図７
2006324942.tif 000002
【特許請求の範囲】
【請求項１】
音声信号を音声に変換して同一の方向に出力する複数のスピーカと、
それぞれの前記スピーカから出力された前記音声を、１つの位置に向けて反射するように、それぞれの前記スピーカに対応して配置される反射板と
を備え、
前記反射板は、前記音声が反射されて向かう前記位置と前記スピーカの位置に応じて、それぞれ所定の角度となるように配置される
ことを特徴とする音声出力装置。
【請求項２】
前記反射板の形状は、所定の曲率の曲面からなる
ことを特徴とする請求項１に記載の音声出力装置。
【請求項３】
前記音声信号を、前記音声が反射されて向かう前記位置と前記スピーカの位置に応じて処理する処理手段を備える
ことを特徴とする請求項１に記載の音声出力装置。
【請求項４】
前記処理手段は、前記音声の音圧を調整するように前記音声信号を処理する
ことを特徴とする請求項３に記載の音声出力装置。
【請求項５】
前記処理手段は、前記音声の位相が、他の前記スピーカが出力する音声の位相と同一となるように前記音声信号を処理する
ことを特徴とする請求項３に記載の音声出力装置。
【請求項６】
前記処理手段は、所定の周波数帯毎に音声の音圧を変更するように前記音声信号を処理する
ことを特徴とする請求項３に記載の音声出力装置。
【請求項７】
音声信号を音声に変換して同一の方向に出力する複数のスピーカと、
それぞれの前記スピーカから出力された前記音声を、１つの位置に向けて反射するように、それぞれの前記スピーカに対応した反射板と
を配置し、
前記反射板は、前記音声が反射されて向かう前記位置と前記スピーカの位置に応じて、それぞれ所定の角度となるように配置される
ことを特徴とする音声出力方法。
【請求項８】
複数の取り付け位置に取り付けられ、かつ、着脱可能に構成された複数の表示装置により画像を表示する表示システムにおいて、
音声信号を、前記画像に対応した音声に変換して同一の方向に出力する複数のスピーカと、
それぞれの前記スピーカから出力された前記音声を、１つの位置に向けて反射するように、それぞれの前記スピーカに対応して配置される反射板と
を備え、
前記反射板は、前記音声が反射されて向かう前記位置と前記スピーカの位置に応じて、それぞれ所定の角度となるように配置される
ことを特徴とする表示システム。
【請求項９】
前記反射板の形状は、所定の曲率の曲面からなる
ことを特徴とする請求項８に記載の表示システム。
【請求項１０】
前記音声信号を、前記音声が反射されて向かう前記位置と前記スピーカの位置に応じて処理する処理手段を備える
ことを特徴とする請求項８に記載の表示システム。
【請求項１１】
前記処理手段は、前記音声の音圧を調整するように前記音声信号を処理する
ことを特徴とする請求項１０に記載の表示システム。
【請求項１２】
前記処理手段は、前記音声の位相が、他の前記スピーカが出力する音声の位相と同一となるように前記音声信号を処理する
ことを特徴とする請求項１０に記載の表示システム。
【請求項１３】
前記処理手段は、所定の周波数帯毎に音声の音圧を変更するように前記音声信号を処理する
ことを特徴とする請求項１０に記載の表示システム。
【請求項１４】
複数の取り付け位置に取り付けられ、かつ、着脱可能に構成された複数の表示装置により画像を表示する表示システムの表示方法において、
音声信号を、前記画像に対応した音声に変換して同一の方向に出力する複数のスピーカと、
それぞれの前記スピーカから出力された前記音声を、１つの位置に向けて反射するように、それぞれの前記スピーカに対応した反射板と
を配置し、
前記反射板は、前記音声が反射されて向かう前記位置と前記スピーカの位置に応じて、それぞれ所定の角度となるように配置される
ことを特徴とする表示方法。
【発明の詳細な説明】
【技術分野】
【０００１】
本発明は、音声出力装置および方法、並びに表示システムおよび方法に関し、特に、少ないスペースに配置される複数のスピーカから、高音質な音声を出力することができるようにした音声出力装置および方法、並びに表示システムおよび方法に関する。
【背景技術】
【０００２】
近年、様々な種類のスピーカが普及するとともに、１つの筐体である直方体のボックスに複数個のスピーカを取り付けることで音声を出力する形態のスピーカ（以下、ユニットスピーカと称する）も使用されている。薄型のディスプレイとともに使用されるユニットスピーカは、ディスプレイに合わせて奥行きの寸法が短くなるように種々の工夫がされている。
【０００３】
図１は、奥行きの寸法を短くした、従来のユニットスピーカ１の外観を示す図である。また、図１においては、説明の便宜上、ユニットスピーカ１の筐体を透けるように表現しているが、実際には、サランネットが前面に貼られ、筐体の内部は見えない。
【０００４】
ユニットスピーカ１は、Ｌ（左）チャンネルであるスピーカ１１−Ｌ１が、音声が図中左側に出力されるように横向きに配置され、Ｒ（右）チャンネルであるスピーカ１１−Ｒ１が、音声が図中右側に出力されるように横向きに配置されることで、それらの２チャンネルのスピーカ（ステレオ）によって、左右の広がりのある音を出力する。
【０００５】
ユニットスピーカ１は、スピーカ１１−Ｌ１、スピーカ１１−Ｒ１、境界板１２−Ｌ１、境界板１２−Ｒ１、および蓋１３を含むように構成される。
【０００６】
スピーカ１１−Ｌ１は、Ｌチャンネルのスピーカであり、他の機器と、蓋１３の奥側に格納されたケーブル（図示せず）を介して接続され、それらの機器から入力されてくる音声信号を音声に変換して出力する。また、スピーカ１１−Ｒ１は、Ｒチャンネルのスピーカであり、スピーカ１１−Ｌ１と同様に、他の機器と、蓋１３の奥側に格納されたケーブルを介して接続され、それらの機器から入力されてくる音声信号を音声に変換して出力する。なお、スピーカ１１−Ｌ１およびスピーカ１１−Ｒ１の詳細は後述する。
【０００７】
境界板１２−Ｌ１は、四角形の形状からなり、その四角形における４辺のそれぞれが、ユニットスピーカ１の上面、前面、および背面、並びに、スピーカ１１−Ｌ１の上面のそれぞれに接するように配置され、バッフルとして機能することで、スピーカ１１−Ｌ１から出力される音声が、ユニットスピーカ１内の右側（スピーカ１１−Ｌ１の背面側）にまわりこまないように仕切っている。また、境界板１２−Ｒ１は、スピーカ１１−Ｒ１に対して、境界板１２−Ｌ１と同様に配置され、スピーカ１１−Ｒ１から出力される音声が、ユニットスピーカ１内の左側（スピーカ１１−Ｒ１の背面側）にまわりこまないように仕切っている。
【０００８】
なお、以下の説明においては、スピーカ１１−Ｌ１およびスピーカ１１−Ｒ１を個々に区別する必要がない場合、単に、スピーカ１１と称する。
【０００９】
図２は、スピーカ１１の外観を示す図である。
【００１０】
スピーカ１１は、デスクトップPC（Personal Computer）に接続されて使用される小型のスピーカ（スピーカボックス）等であり、通常、視聴者に対して、左右に１個ずつ設けられることで、ステレオによって音声が再生される。また、スピーカ１１は、一般的に、横幅ａの長さを抑えるために、横幅ａよりも奥行きｂの寸法の方が長い傾向にある（即ち、ｂ＞ａ）。従って、スピーカ１１を、奥行きの長さが制限されているユニットスピーカ１（図１）に配置する場合、スピーカ１１を横向きにして配置する。
【００１１】
即ち、図２で示されるように、スピーカ１１は、横幅ａよりも奥行きｂの寸法の方が長いので、奥行きのとれない他の機器（ユニットスピーカ１）と組み合わせる場合、スピーカ１１と他の機器との間で、幅と奥行きが合わないために、物理的に組み込むことが難しいが、図１のユニットスピーカ１のように、スピーカ１１を、左右のうち、いずれか一方を向くように横向きにして配置することで、スピーカ１１を他の機器に組み込むことが可能となる。
【００１２】
振動板２１は、パルプやブラスチック、軽金属等をコーン状やドーム状に成形したものからなり、他の機器と接続されたケーブル（図示せず）を介して、他の機器から供給されてくる音声信号を受けて振動することで、空中に音声（音波）を出力（放射）する。
【００１３】
以上のようにして、従来のユニットスピーカ１は、音声を出力する。
【００１４】
また、バッフルプレートに取り付けたスピーカユニット２個の中心軸に合わせて、かつ、背中合わせにして平行に設置し、２個のスピーカユニットの背後からの音波が共鳴する位置にバッフルプレート同士を固定し、キャビネットを廃止した音声出力装置もある（例えば、特許文献１）。
【００１５】
【特許文献１】登録実用新案第３０７３８８１号公報
【発明の開示】
【発明が解決しようとする課題】
【００１６】
しかしながら、奥行きのあるスピーカを横向きに配置することで、そのスピーカを他の機器に組み込むことが可能となるが、スピーカから出力された音声が、対向する面で遮られて共鳴し、本来の音質を得ることができない。
【００１７】
また、例えば、登録実用新案第３０７３８８１号公報に開示されているスピーカシステムは、スピーカユニットの前面に反射板を取り付けることで、指向性をつけているが、２個のスピーカユニットを左右１組のスピーカとする構成となっているために、複数の組のスピーカから構成することができず、また、入射してくる音声に対する反射板の角度が最適でないために、高品質の音声を出力しているとは言えなかった。
【００１８】
本発明はこのような状況に鑑みてなされたものであり、少ないスペースに配置される複数のスピーカから、高音質な音声を出力することができるようにするものである。
【課題を解決するための手段】
【００１９】
本発明の音声出力装置は、音声信号を音声に変換して同一の方向に出力する複数のスピーカと、それぞれのスピーカから出力された音声を、１つの位置に向けて反射するように、それぞれのスピーカに対応して配置される反射板とを備え、反射板は、音声が反射されて向かう位置とスピーカの位置に応じて、それぞれ所定の角度となるように配置されることを特徴とする。
【００２０】
反射板の形状は、所定の曲率の曲面とすることができる。
【００２１】
音声信号を、音声が反射されて向かう位置とスピーカの位置に応じて処理する処理手段を備えることを特徴とする。
【００２２】
処理手段は、音声の音圧を調整するように音声信号を処理することができる。
【００２３】
処理手段は、音声の位相が、他のスピーカが出力する音声の位相と同一となるように音声信号を処理することができる。
【００２４】
処理手段は、所定の周波数帯毎に音声の音圧を変更するように音声信号を処理することができる。
【００２５】
本発明の音声出力方法は、音声信号を音声に変換して同一の方向に出力する複数のスピーカと、それぞれのスピーカから出力された音声を、１つの位置に向けて反射するように、それぞれのスピーカに対応した反射板とを配置し、反射板は、音声が反射されて向かう位置とスピーカの位置に応じて、それぞれ所定の角度となるように配置されることを特徴とする。
【００２６】
本発明の音声出力装置および方法においては、音声信号を音声に変換して同一の方向に出力する複数のスピーカと、それぞれのスピーカから出力された音声を、１つの位置に向けて反射するように、それぞれのスピーカに対応した反射板とが配置され、反射板は、音声が反射されて向かう位置とスピーカの位置に応じて、それぞれ所定の角度となるように配置される。
【００２７】
本発明の表示システムは、音声信号を、画像に対応した音声に変換して同一の方向に出力する複数のスピーカと、それぞれのスピーカから出力された音声を、１つの位置に向けて反射するように、それぞれのスピーカに対応して配置される反射板とを備え、反射板は、音声が反射されて向かう位置とスピーカの位置に応じて、それぞれ所定の角度となるように配置されることを特徴とする。
【００２８】
反射板の形状は、所定の曲率の曲面とすることができる。
【００２９】
音声信号を、音声が反射されて向かう位置とスピーカの位置に応じて処理する処理手段を備えることを特徴とする。
【００３０】
処理手段は、音声の音圧を調整するように音声信号を処理することができる。
【００３１】
処理手段は、音声の位相が、他のスピーカが出力する音声の位相と同一となるように音声信号を処理することができる。
【００３２】
処理手段は、所定の周波数帯毎に音声の音圧を変更するように音声信号を処理することができる。
【００３３】
本発明の表示方法は、音声信号を、画像に対応した音声に変換して同一の方向に出力する複数のスピーカと、それぞれのスピーカから出力された音声を、１つの位置に向けて反射するように、それぞれのスピーカに対応した反射板とを配置し、反射板は、音声が反射されて向かう位置とスピーカの位置に応じて、それぞれ所定の角度となるように配置されることを特徴とする。
【００３４】
本発明の表示システムおよび表示方法においては、音声信号を、画像に対応した音声に変換して同一の方向に出力する複数のスピーカと、それぞれのスピーカから出力された音声を、１つの位置に向けて反射するように、それぞれのスピーカに対応した反射板とが配置され、反射板は、音声が反射されて向かう位置とスピーカの位置に応じて、それぞれ所定の角度となるように配置される。
【発明の効果】
【００３５】
本発明によれば、少ないスペースに配置される複数のスピーカから、高音質な音声を出力することができる。
【発明を実施するための最良の形態】
【００３６】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００３７】
さらに、この記載は、明細書に記載されている発明の全てを意味するものではない。換言すれば、この記載は、明細書に記載されている発明であって、この出願では請求されていない発明の存在、即ち、将来、分割出願されたり、補正により出現し、追加される発明の存在を否定するものではない。
【００３８】
本発明によれば、音声出力装置が提供される。この音声出力装置（例えば、図６のユニットスピーカ５１）は、音声信号を音声に変換して同一の方向に出力する複数のスピーカ（例えば、図６のスピーカ６１−Ｌ１乃至６１−Ｌ３）と、それぞれのスピーカから出力された音声を、１つの位置（例えば、視聴者７１の位置）に向けて反射するように、それぞれのスピーカに対応して配置される反射板（例えば、図６の反射板６３−Ｌ１乃至６３−Ｌ３）とを備え、反射板は、音声が反射されて向かう位置とスピーカの位置に応じて、それぞれ所定の角度となるように配置される。
【００３９】
反射板の形状は、所定の曲率の曲面とすることができる。
【００４０】
音声信号を、音声が反射されて向かう位置とスピーカの位置に応じて処理する処理手段（例えば、図９の信号処理部１５４）を備える。
【００４１】
処理手段は、音声の音圧を調整するように音声信号を処理することができる。
【００４２】
処理手段は、音声の位相が、他のスピーカが出力する音声の位相と同一となるように音声信号を処理することができる。
【００４３】
処理手段は、所定の周波数帯毎に音声の音圧を変更するように音声信号を処理することができる。
【００４４】
本発明によれば、音声出力方法が提供される。この音声出力方法は、音声信号を音声に変換して同一の方向に出力する複数のスピーカと、それぞれのスピーカから出力された音声を、１つの位置に向けて反射するように、それぞれのスピーカに対応した反射板とを配置し、反射板は、音声が反射されて向かう位置とスピーカの位置に応じて、それぞれ所定の角度となるように配置される。
【００４５】
本発明によれば、表示システムが提供される。この表示システム（例えば、図８のスケーラブルテレビシステム１０１）は、音声信号を、画像に対応した音声に変換して同一の方向に出力する複数のスピーカ（例えば、図８のスピーカ６１−Ｌ１乃至６１−Ｌ３）と、それぞれのスピーカから出力された音声を、１つの位置（例えば、視聴者７１の位置）に向けて反射するように、それぞれのスピーカに対応して配置される反射板（例えば、図８の反射板６３−Ｌ１乃至６３−Ｌ３）とを備え、反射板は、音声が反射されて向かう位置とスピーカの位置に応じて、それぞれ所定の角度となるように配置される。
【００４６】
反射板の形状は、所定の曲率の曲面とすることができる。
【００４７】
音声信号を、音声が反射されて向かう位置とスピーカの位置に応じて処理する処理手段（例えば、図９の信号処理部１５４）を備える。
【００４８】
処理手段は、音声の音圧を調整するように音声信号を処理することができる。
【００４９】
処理手段は、音声の位相が、他のスピーカが出力する音声の位相と同一となるように音声信号を処理することができる。
【００５０】
処理手段は、所定の周波数帯毎に音声の音圧を変更するように音声信号を処理することができる。
【００５１】
本発明によれば、表示方法が提供される。この表示方法は、音声信号を、画像に対応した音声に変換して同一の方向に出力する複数のスピーカと、それぞれのスピーカから出力された音声を、１つの位置に向けて反射するように、それぞれのスピーカに対応した反射板とを配置し、反射板は、音声が反射されて向かう位置とスピーカの位置に応じて、それぞれ所定の角度となるように配置される。
【００５２】
以下、図面を参照しながら本発明の実施の形態について説明する。
【００５３】
なお、説明を分かり易くするために、図３乃至図５を参照して、Ｌ（左）チャンネルとＲ（右）チャンネルからなる、左右１組のスピーカについて説明してから、その後、図６乃至図１５を参照して、複数の組のスピーカについて説明する。
【００５４】
図３は、本発明を適用したユニットスピーカ５１の外観の例を示す図である。また、図３においては、説明の便宜上、ユニットスピーカ５１の筐体を透けるように表現しているが、実際には、側面、上面、背面、および底面は、いわゆるキャビネットとして形成され、さらに、前面は、サランネットが貼られ、筐体の内部は見えない。
【００５５】
ユニットスピーカ５１は、例えば、複数のスピーカを内蔵する直方体状に形成される、本発明の音声出力装置の一例である。
【００５６】
ユニットスピーカ５１は、例えば、スピーカ６１−Ｌ１、スピーカ６１−Ｒ１、境界板６２−Ｌ１、境界板６２−Ｒ１、反射板６３−Ｌ１、および反射板６３−Ｒ１を含むように構成される。
【００５７】
スピーカ６１−Ｌ１およびスピーカ６１−Ｒ１のそれぞれは、デスクトップPCに接続されて使用される小型のスピーカ（スピーカボックス）等であり、通常、視聴者に対して、左右に１個ずつ設けられることで、ステレオによって音声が再生される。また、スピーカ６１−Ｌ１およびスピーカ６１−Ｒ１のそれぞれは、一般的に、自分の横幅の長さを抑えるために、横幅よりも奥行きの寸法の方が長い傾向にある（即ち、奥行き＞横幅）。従って、スピーカ６１−Ｌ１およびスピーカ６１−Ｒ１のそれぞれを、奥行きの長さが制限されているユニットスピーカ５１に配置する場合、スピーカ６１−Ｌ１およびスピーカ６１−Ｒ１のそれぞれを、左右のうちいずれか一方を向くように横向きにして配置することで、ステレオによって音声が再生される。
【００５８】
また、スピーカ６１−Ｌ１は、Ｌチャンネルのスピーカであり、例えば、テレビジョン受像機、音楽プレーヤ、またはデスクトップPC等の他の機器とケーブル（図示せず）を介して接続され、それらの機器から入力されてくるＬチャンネルの音声信号を音声に変換して出力する。さらに、スピーカ６１−Ｒ１は、Ｒチャンネルのスピーカであり、スピーカ６１−Ｌ１と同様に、例えば、テレビジョン受像機等とケーブルを介して接続され、それらの機器から入力されてくるＲチャンネルの音声信号を音声に変換して出力する。
【００５９】
境界板６２−Ｌ１は、例えば、四角形の形状からなり、その四角形における４辺のそれぞれが、ユニットスピーカ５１の上面、前面、および背面、並びにスピーカ６１−Ｌ１の上面のそれぞれに接するように配置される。また、境界板６２−Ｌ１は、例えば、バッフルとして機能することで、スピーカ６１−Ｌ１から出力される音声が、ユニットスピーカ５１内の右側（スピーカ６１−Ｌ１の背面側）にまわりこまないように仕切っている。
【００６０】
境界板６２−Ｒ１は、境界板６２−Ｌ１と同様に、例えば、四角形の形状からなり、その四角形における４辺のそれぞれが、ユニットスピーカ５１の上面、前面、および背面、並びにスピーカ６１−Ｒ１の上面のそれぞれに接するように配置され、バッフルとして機能することで、スピーカ６１−Ｒ１から出力される音声が、ユニットスピーカ５１の左側（スピーカ６１−Ｒ１の背面側）にまわりこまないように仕切っている。
【００６１】
即ち、反射板６３−Ｌ１および境界板６２−Ｒ１によって、例えば、スピーカ６１−Ｌ１およびスピーカ６１−Ｒ１のそれぞれから出力される音波（音声）が干渉しあわないようにしている。
【００６２】
反射板６３−Ｌ１および反射板６３−Ｒ１のそれぞれは、例えば、アクリル、プラスチック、ポリプロピレン、若しくはポリエチレン等の樹脂、アルミニウム、鉄、マグネシウム、若しくはチタニウム等の金属、NC（Numerical Control）加工によって加工された石材、または木材等の素材からなる板である。
【００６３】
反射板６３−Ｌ１は、スピーカ６１−Ｌ１から出力される音声を、ユニットスピーカ５１の前面の方向に反射させるような所定の曲率の曲面をなす形状（例えば、弧状の形状等）またはそれに類する形状（例えば、複数の平面を組み合わせた形状等）をしている板である。即ち、反射板６３−Ｌ１は、スピーカ６１−Ｌ１から出力された音声（音波）をユニットスピーカ５１の前面の方向に反射させる。
【００６４】
反射板６３−Ｒ１は、反射板６３−Ｌ１と同様に、スピーカ６１−Ｒ１から出力される音声を、ユニットスピーカ５１の前面の方向に反射させる所定の曲率の曲面をなす形状またはそれに類する形状をしている板である。即ち、反射板６３−Ｒ１は、スピーカ６１−Ｒ１から出力される音声（音波）をユニットスピーカ５１の前面の方向に反射させる。
【００６５】
また、反射板６３−Ｌ１および反射板６３−Ｒ１のそれぞれは、音声（音波）をユニットスピーカ５１の前面の方向に反射させる形状であればよく、例えば、１次若しくは２次曲面等の連続する曲率の曲面、または１枚若しくは複数枚が組み合わされた平板等であってもよい。さらに、反射板６３−Ｌ１および反射板６３−Ｒ１のそれぞれの表面に、例えば、反射材や吸音材等を使用することで、スピーカ６１−Ｌ１およびスピーカ６１−Ｒ１のそれぞれから出力される音声（音波）の反射率を変えたり、吸音率を変えるようにしてもよいし、また、その表面のそれぞれに、例えば、皮や布等を貼り付けるようにしてもよい。
【００６６】
なお、スピーカ６１−Ｌ１およびスピーカ６１−Ｒ１のそれぞれの上面の空間には、スピーカ６１−Ｌ１およびスピーカ６１−Ｒ１のそれぞれと、テレビジョン受像機等とを接続するケーブル（図示せず）等を格納したり、低音を増強するための共鳴ボックスとして機能するようにしてもよい。また、スピーカ６１−Ｌ１およびスピーカ６１−Ｒ１のそれぞれの、上面および下面のそれぞれには、空間を設けることも可能である。
【００６７】
さらに、以下の説明においては、スピーカ６１−Ｌ１およびスピーカ６１−Ｒ１を個々に区別する必要がない場合、単に、スピーカ６１と称し、境界板６２−Ｌ１および境界板６２−Ｒ１を個々に区別する必要のない場合、単に、境界板６２と称し、反射板６３−Ｌ１および反射板６３−Ｒ１を個々に区別する必要がない場合、単に、反射板６３と称する。
【００６８】
図４は、反射板６３による音波（音声）の反射について説明する図である。また、図４で示される例は、ユニットスピーカ５１（図３）を上側から見た図となり、図中の点線は、音波の進行方向を示す。
【００６９】
音源であるスピーカ６１−Ｌ１から出力される音波は、図中の点線で示すように、反射板６３−Ｌ１に反射され、視聴者７１に到達する。また、音源であるスピーカ６１−Ｒ１から出力される音波も、図中の点線で示すように、反射板６３−Ｒ１に反射されて、視聴者７１に到達する。
【００７０】
具体的には、反射板６３−Ｌ１は、入射してくる音波の角度に応じて、その入射してくる音波を反射させる。即ち、スピーカ６１−Ｌ１から出力された音波であって、反射板６３−Ｌ１に入射してくる音波の入射角と、反射板６３−Ｌ１によって反射された音波の反射角とは等しくなる。従って、図４で示すように、スピーカ６１−Ｌ１から出力された音波のうち、より急峻な角度で反射板６３−Ｌ１に入射してきた音波は、より急峻な角度で反射され、よりなだらかな角度で反射板６３−Ｌ１に入射してきた音波は、よりなだらかな角度で反射される。その結果、視聴者７１には、より多くのスピーカ６１−Ｌ１から出力された音声（音波）が到達することになる。
【００７１】
また、反射板６３−Ｒ１は、反射板６３−Ｌ１と同様に、例えば、スピーカ６１−Ｒ１から出力された音波のうち、急峻な角度で反射板６３−Ｒ１に入射してきた音波を、急峻な角度で反射し、なだらかな角度で反射板６３−Ｒ１に入射してきた音波を、なだらかな角度で反射する等、入射してくる音波の角度に応じて、その入射してくる音波を反射させる。その結果、視聴者７１には、より多くのスピーカ６１−Ｒ１から出力された音声（音波）が到達することになる。
【００７２】
なお、スピーカ６１−Ｌ１またはスピーカ６１−Ｒ１から出力された音波であっても、出力された角度によっては、反射板６３−Ｌ１または反射板６３−Ｒ１に入射せずに、そのまま直進してしまう音波もあるが、それらの音波は、視聴者７１まで到達せず、視聴者７１には視聴されないこととなる。また、反射板６３−Ｌ１および反射板６３−Ｒ１によって、音声（音波）が周囲の壁等に反射して視聴者７１に届くことで、いわゆる音場を視聴者７１に知覚させる。
【００７３】
図５は、ユニットスピーカ５１において、反射板６３を挿入した場合と、反射板６３を挿入しない場合との関係を示すグラフである。
【００７４】
図５のグラフの縦軸は、音圧の大きさの値（以下、音圧レベルと称する）（単位：dB（デシベル））を示し、縦軸の値が大きいほど、音圧レベルが大きくなる（音が大きくなる）ことを示す。また、横軸は、周波数（単位：Hz（ヘルツ））を示し、左側は、低音域を示し、右側は、高音域を示す。さらに、図中の実線の折れ線は、反射板６３をユニットスピーカ５１に挿入した場合の音圧レベルを示し、点線の折れ線は、反射板をユニットスピーカ５１に挿入しない場合の音圧レベルを示す。即ち、図５のグラフは、実線と点線の折れ線グラフによって、視聴者７１（図４）の位置において、周波数帯毎に、反射板６３を挿入した場合と、反射板６３を挿入しない場合との音圧レベルの比較を行っている。
【００７５】
図５で示されるグラフにおいて、反射板６３を挿入した場合の実線の波形と、反射板６３を挿入しない場合の点線の波形とは、ほぼ同様の波形となるが、点線の波形の値（音圧レベル）が、実線の波形の値（音圧レベル）と比較して、極端に上昇しているＡで示される部分（1000ヘルツの近傍）がある。これは、反射板６３を挿入しない場合においては、共鳴によって、このようないわゆるピークが生じ、このピークがあることにより、周波数特性が平坦とならず、特徴の強い音となってしまい、本来の音の印象を損ねていることになる。
【００７６】
一方、反射板６３を挿入した場合、共鳴の発生が抑制されて、その結果、1000ヘルツの近傍では周波数特性がより平坦となって、ピークが抑えられており、即ち、これは、音波（音声）がユニットスピーカ５１の前面の方向に出ていることになる。
【００７７】
このように、反射板６３をユニットスピーカ５１に挿入することで、ピークの発生を抑制し、スピーカ６１から出力される音声を、ユニットスピーカ５１の前面の方向に反射させることができる。その結果、視聴者７１は、周波数特性が平坦な、本来出力すべき音により近い、いわゆるより高音質の音声を視聴することが可能となる。
【００７８】
ところで、上述した例においては、左右１組のスピーカ６１（スピーカ６１−Ｌ１およびスピーカ６１−Ｒ１）から構成されるユニットスピーカ５１について説明してきたが、本発明は、複数の組のスピーカ６１から構成されるユニットスピーカ５１に適用することができる。そこで、以下、複数の組のスピーカ６１から構成されるユニットスピーカ５１について説明する。
【００７９】
図６は、複数の組のスピーカ６１から構成される、本発明を適用したユニットスピーカ５１の外観の例を示す図である。
【００８０】
図６においては、説明の便宜上、ユニットスピーカ５１の筐体を透けるように表現しているが、実際には、図３と同様に、側面、上面、背面、および底面は、いわゆるキャビネットとして形成され、さらに、前面は、サランネットが貼られ、筐体の内部は見えない。また、図３に示す場合と同様の部分には、同一の符号が付してあり、その説明は（適宜）省略する。
【００８１】
ユニットスピーカ５１は、上述したように、例えば、複数のスピーカを内蔵する直方体状に形成される、本発明の音声出力装置の一例である。
【００８２】
図６で示される例において、ユニットスピーカ５１は、例えば、スピーカ６１−Ｌ１、スピーカ６１−Ｒ１、スピーカ６１−Ｌ２、スピーカ６１−Ｒ２、スピーカ６１−Ｌ３、スピーカ６１−Ｒ３、境界板６２−Ｌ１、境界板６２−Ｒ１、境界板６２−Ｌ２、境界板６２−Ｒ２、境界板６２−Ｌ３、境界板６２−Ｒ３、反射板６３−Ｌ１、反射板６３−Ｒ１、反射板６３−Ｌ２、反射板６３−Ｒ２、反射板６３−Ｌ３、および反射板６３−Ｒ３を含むように構成される。
【００８３】
即ち、図６のユニットスピーカ５１は、スピーカ６１−Ｌ１、スピーカ６１−Ｒ１、スピーカ６１−Ｌ２、スピーカ６１−Ｒ２、スピーカ６１−Ｌ３、およびスピーカ６１−Ｒ３の左右３組（６個）のスピーカを含むように構成され、その６個のスピーカのうち、Ｌチャンネルのスピーカである、スピーカ６１−Ｌ１、スピーカ６１−Ｌ２、およびスピーカ６１−Ｌ３のそれぞれは、左側を向くように横向きにそれぞれ配置され、それ以外の、Ｒチャンネルのスピーカである、スピーカ６１−Ｒ１、スピーカ６１−Ｒ２、およびスピーカ６１−Ｒ３のそれぞれは、右側を向くように横向きにそれぞれ配置される。
【００８４】
これは、２チャンネルのスピーカ（ステレオ）によって、視聴者７１に対して、左右の広がりのある音を表現する場合、ＬチャンネルとＲチャンネルのスピーカによって実現するが、図６で示される例の場合、スピーカ６１−Ｌ１（Ｌチャンネル）とスピーカ６１−Ｒ１（Ｒチャンネル）とが対になり、スピーカ６１−Ｌ２（Ｌチャンネル）とスピーカ６１−Ｒ２（Ｒチャンネル）とが対になり、スピーカ６１−Ｌ３（Ｌチャンネル）とスピーカ６１−Ｒ３（Ｒチャンネル）とが対になることで、左右の広がりのある音を実現している。
【００８５】
また、反射板６３−Ｌ１乃至６３−Ｒ３のそれぞれは、スピーカ６１−Ｌ１乃至６１−Ｒ３のそれぞれから出力される音波（音声）を、ユニットスピーカ５１の前面の方向に反射させるような所定の曲率の曲面をなす形状またはまたはそれに類する形状をしており、スピーカ６１−Ｌ１乃至６１−Ｒ３のそれぞれから出力されてくる音波（音声）をユニットスピーカ５１の前面に反射させる。
【００８６】
なお、反射板６３−Ｌ２乃至６３−Ｒ３のそれぞれの素材および形状は、上述した、反射板６３−Ｌ１および反射板６３−Ｒ１のそれぞれと同様とする。
【００８７】
また、以下の説明においては、上述した図３と同様に、スピーカ６１−Ｌ１乃至６１−Ｒ３を個々に区別する必要がない場合、単に、スピーカ６１と称し、境界板６２−Ｌ１乃至６２−Ｒ３を個々に区別する必要のない場合、単に、境界板６２と称し、反射板６３−Ｌ１乃至６３−Ｒ３を個々に区別する必要がない場合、単に、反射板６３と称する。
【００８８】
図７は、複数の組のスピーカ６１から構成されるユニットスピーカ５１において、複数の組の反射板６３による音波（音声）の反射について説明する図である。
【００８９】
図４に示す場合と同様の部分には、同一の符号が付してあり、その説明は（適宜）省略する。また、図７で示される例は、図４と同様に、ユニットスピーカ５１（図６）を上側から見た図となり、図中の点線は、音波の進行方向を示す。さらに、図７では、記載を簡略化するために、スピーカ６１−Ｌ２およびスピーカ６１−Ｒ３のそれぞれから出力される音波（音声）の進行方向は省略しているが、音波の進行方向を示した他のスピーカ６１から出力される音波の進行方向と同様になる。
【００９０】
音源であるスピーカ６１−Ｌ１から出力される音波は、図中の３本の点線で示すように、反射板６３−Ｌ１に反射されることで、視聴者７１に到達し、音源であるスピーカ６１−Ｒ１から出力される音波は、図中の３本の点線で示すように、反射板６３−Ｒ１に反射されることで、視聴者７１に到達する。また、同様に、音源であるスピーカ６１−Ｌ２から出力される音波は、反射板６３−Ｌ２に反射されて、視聴者７１に到達し、音源であるスピーカ６１−Ｒ２から出力される音波は、反射板６３−Ｒ２に反射されて、視聴者７１に到達する。さらに、同様に、音源であるスピーカ６１−Ｌ３から出力される音波は、反射板６３−Ｌ３に反射されて、視聴者７１に到達し、音源であるスピーカ６１−Ｒ３から出力される音波は、反射板６３−Ｒ３に反射されて、視聴者７１に到達する。
【００９１】
反射板６３−Ｌ１乃至６３−Ｒ３のそれぞれは、音波の入射してきた角度に応じて、その入射してくる音波を反射させる。即ち、スピーカ６１−Ｌ１乃至６１−Ｒ３のそれぞれから出力された音波であって、反射板６３−Ｌ１乃至６３−Ｒ３のそれぞれに入射してくる音波の入射角と、反射板６３−Ｌ１乃至６３−Ｒ３のそれぞれによって反射された音波の反射角とは等しくなる。従って、図７で示すように、スピーカ６１−Ｌ１乃至６１−Ｒ３のそれぞれから出力された音波のうち、より急峻な角度で反射板６３−Ｌ１乃至６３−Ｒ３のそれぞれに入射してきた音波は、より急峻な角度で反射され、よりなだらかな角度で反射板６３−Ｌ１乃至６３−Ｒ３のそれぞれに入射してきた音波は、よりなだらかな角度で反射される。その結果、視聴者７１には、より多くのスピーカ６１−Ｌ１乃至スピーカ６１−Ｒ３のそれぞれから出力された音声（音波）が到達することになる。
【００９２】
また、通常、視聴者７１は、ユニットスピーカ５１の中心で視聴することが多いと考えられるので、例えば、ユニットスピーカ５１の中心であるスピーカ６１−Ｌ１とスピーカ６１−Ｒ１との間の位置を、ユニットスピーカ５１の中心の軸と考えた場合、その中心の軸上の視聴者７１の方向に音波を反射させるとき、中心の軸から離れるほど反射板６３の角度を急峻にすることで、入射してくる音波を視聴者７１に向けて（中心の軸に向けて）反射させることが可能となる。
【００９３】
具体的には、反射板６３−Ｌ２は、中心の軸に対して、反射板６３−Ｌ１よりも急峻な角度となり、反射板６３−Ｌ３は、中心の軸に対して、反射板６３−Ｌ２よりも急峻な角度となる。また、同様に、反射板６３−Ｒ２は、中心の軸に対して、反射板６３−Ｒ１よりも急峻な角度となり、反射板６３−Ｒ３は、中心の軸に対して、反射板６３−Ｒ２よりも急峻な角度となる（なお、図中の反射板６３−Ｌ１乃至６３−Ｒ３のそれぞれの中心軸に対する角度は、角度の違いを強調するように表現しているが、実際には、図中の角度と同様の角度にする必要はない）。
【００９４】
このように、ユニットスピーカ５１の中心の軸から離れるほど反射板６３の角度を急峻にすることで、反射板６３がスピーカ６１から入射してくる音波を、視聴者７１に向けて反射させることができるので、視聴者７１は、複数の組のスピーカ６１から出力される音声（音波）を、高音質で視聴することができる。また、換言すれば、ユニットスピーカ５１は、視聴者７１に対して、高音質な音声を出力できるとも言える。
【００９５】
さらに、反射板６３の中心の軸に対する角度を変更することで、ＬチャンネルとＲチャンネルのスピーカ６１の間隔を広げた場合であっても、同様の音質を得ることが可能となる。
【００９６】
次に、図６および図７を参照して説明した、複数の組のスピーカ６１から構成されるユニットスピーカ５１の一例として、ユニットスピーカ５１を組み込んだ、スケーラブルテレビシステム１０１について説明する。
【００９７】
図８は、本発明を適用したスケーラブルテレビシステム１０１の一実施形態に係る構成例を示す図である。
【００９８】
図８においては、説明の便宜上、ユニットスピーカ５１の筐体を透けるように表現しているが、実際には、図６と同様に、側面、上面、背面、および底面は、いわゆるキャビネットとして形成され、さらに、前面は、サランネットが貼られ、筐体の内部は見えない。また、図６に示す場合と同様の部分には、同一の符号が付してあり、その説明は（適宜）省略する。
【００９９】
スケーラブルテレビシステム１０１は、例えば、複数の表示装置を、それぞれ複数の異なる取り付け位置に取り付けることが可能なユニットを、複数台接続することにより構成されており、接続されるユニットの数を増やしたり減らしたりすることで、表示装置の台数を自由に増やしたり減らしたりすることが可能となるように構成されている。また、スケーラブルテレビシステム１０１は、本発明の表示システムの一例である。
【０１００】
図８で示される例において、スケーラブルテレビシステム１０１は、ユニット１０２−１乃至１０２−３の３つのユニットにより構成されている。ユニット１０２−１乃至１０２−３の各ユニットには、それぞれ複数のテレビジョン受像機等の表示装置（この例では３台の表示装置）が図中縦方向一列に取り付けられており、ユニット１０２−１には、表示装置１１１Ａ乃至１１１Ｃ、ユニット１０２−２には、表示装置１１２Ａ乃至１１２Ｃ、ユニット１０２−３には、表示装置１１３Ａ乃至１１３Ｃが図中縦方向一列にそれぞれ取り付けられている。そして、ユニット１０２−１乃至１０２−３が図中横方向一列に接続されることにより９台の表示装置を有するスケーラブルテレビシステム１０１が構成されている。
【０１０１】
表示装置１１１Ａ乃至１１３Ｃの９台の表示装置のそれぞれは、同じ形状と機能を有し、例えば、テレビジョン放送信号等を受信して、LCD（Liquid Crystal Display）等で構成される表示部に画像を表示したり、スピーカ６１、境界板６２、および反射板６３等で構成されるユニットスピーカ５１から音声を出力したりする。
【０１０２】
スケーラブルテレビシステム１０１は、個々の表示装置を独立して機能させることは勿論、９台の表示装置の集合体をあたかも１台の表示装置として機能させるようにすることが可能である。また、スケーラブルテレビシステム１０１においては、９台の表示装置を、例えば、３台の表示装置からなる３組の集合体に分割し、個々の集合体毎に別々の画像を表示することも可能である。
【０１０３】
具体的には、スケーラブルテレビシステム１０１は、例えば、表示装置１１１Ａ乃至１１３Ｃの９台の表示装置の集合体を１台の表示装置として機能させる場合、表示装置１１１Ａ乃至１１３Ｃのディスプレイ全体に、テレビジョン放送信号における画像の全体を拡大した画像を表示させ、その画像に付随する音声を、スピーカ６１−Ｌ１乃至６１−Ｒ３のそれぞれから出力させる。
【０１０４】
また、例えば、９台の表示装置を、３台の表示装置からなる３組の集合体である、ユニット１０２−１乃至１０２−３に分割し、個々のユニット毎に機能させる場合、ユニットスピーカ５１を構成するスピーカ６１のうち、スピーカ６１−Ｌ１およびスピーカ６１−Ｒ１のそれぞれは、表示装置１１１Ａ乃至１１１Ｃからなるユニット１０２−１が表示するテレビジョン放送信号に対応した音声をそれぞれ出力し、スピーカ６１−Ｌ２およびスピーカ６１−Ｒ２のそれぞれは、表示装置１１２Ａ乃至１１２Ｃからなるユニット１０２−２が表示するテレビジョン放送信号に対応した音声をそれぞれ出力し、スピーカ６１−Ｌ３およびスピーカ６１−Ｒ３のそれぞれは、表示装置１１３Ａ乃至１１３Ｃからなるユニット１０２−３が表示するテレビジョン放送信号に対応した音声をそれぞれ出力する。
【０１０５】
なお、スケーラブルテレビシステム１０１を構成する表示装置の数は、９台に限定されるものではない。即ち、スケーラブルテレビシステム１０１は、任意の複数台の表示装置によって構成することが可能である。また、スケーラブルテレビシステム１０１を構成する表示装置の配置は、図８に示したように、縦×横が、３×３に限定されるものではない。即ち、スケーラブルテレビシステム１０１を構成する表示装置の配置は、例えば、縦×横が、１×２、２×１、２×３等とすることも可能である。また、スケーラブルテレビシステム１０１を構成する表示装置の配置形状は、図８にも示したように、格子状（マトリックス状）に限定されるものではなく、例えば、ピラミッド状等であってもよい。
【０１０６】
即ち、スケーラブルテレビシステム１０１は、任意の複数台の表示装置を、縦と横のそれぞれに、任意の台数だけ配置して構成することができる。
【０１０７】
図９は、本発明を適用したスケーラブルテレビシステム１０１の一実施の形態を示すブロック図である。
【０１０８】
アンテナ１５１は、地上波や放送衛星からの電波等の放送電波に対応するテレビジョン放送信号（放送信号）を受信し、受信した放送信号を分配器１５２に供給する。
【０１０９】
分配器１５２は、アンテナ１５１から供給されてくる放送信号を、チューナ１５３−１乃至１５３−９のそれぞれに分配する。
【０１１０】
チューナ１５３−１乃至１５３−３のそれぞれは、例えば、表示装置１１１Ａ乃至１１１Ｃのそれぞれに内蔵され、分配器１５２から供給される放送信号に対して、例えば、復調処理、エラー訂正処理、または復号処理等の所定の処理を施して、処理の結果得られた信号のうち、映像信号を表示装置１１１Ａ乃至１１１ＣのLCD等で構成される表示部（図示せず）にそれぞれ供給し、音声信号を信号処理部１５４−１に供給する。
【０１１１】
また、チューナ１５３−４乃至１５３−６のそれぞれは、例えば、表示装置１１２Ａ乃至１１２Ｃのそれぞれに内蔵され、チューナ１５３−１乃至１５３−３と同様に、分配器１５２から供給される放送信号に対して、復調処理等の所定の処理を施して、処理の結果得られた信号のうち、映像信号を表示装置１１２Ａ乃至１１２Ｃの表示部にそれぞれ供給し、音声信号を信号処理部１５４−２に供給する。
【０１１２】
さらに、チューナ１５３−７乃至１５３−９のそれぞれは、例えば、表示装置１１３Ａ乃至１１３Ｃのそれぞれに内蔵され、チューナ１５３−１乃至１５３−３と同様に、分配器１５２から供給される放送信号に対して、復調処理等の所定の処理を施して、処理の結果得られた信号のうち、映像信号を表示装置１１３Ａ乃至１１３Ｃの表示部にそれぞれ供給し、音声信号を信号処理部１５４−３に供給する。
【０１１３】
なお、表示装置１１１Ａ乃至１１３Ｃのそれぞれの表示部（図示せず）は、例えば、それらが内蔵しているチューナ１５３−１乃至１５３−９のそれぞれから供給されてくる映像信号をLCD等の画面にそれぞれ表示させる。
【０１１４】
信号処理部１５４−１は、チューナ１５３−１乃至１５３−３のそれぞれから供給されてくる音声信号に対して、例えば、ボリューム調整の処理、遅延の処理、またはフィルタの処理等の所定の処理を施して、処理の結果得られた音声信号を、スピーカ６１−Ｌ１およびスピーカ６１−Ｒ１のそれぞれに供給する。
【０１１５】
ここで、詳細は後述するが、信号処理部１５４−１が行う所定の処理について説明する。ボリューム調整の処理とは、例えば、ユニットスピーカ５１の内部の構成（レイアウト）等によって、視聴者７１に視聴される音声のボリューム（音圧）が一定とならないことがあるので、視聴者７１の視聴する音声が一定のボリュームとなるようにボリュームを調整する処理である。
【０１１６】
また、遅延の処理とは、例えば、スピーカ６１−Ｌ１乃至６１−Ｒ３のそれぞれと、視聴者７１との距離が異なり、視聴者７１に届く音声の位相がずれてしまう場合があるので、スピーカ６１−Ｌ１乃至６１−Ｒ３のそれぞれから出力される音声が、同一の位相で視聴者７１に視聴されるように補正したり、スピーカ６１−Ｌ１乃至６１−Ｒ３のそれぞれから出力される音声の位相を所定の間隔でわざとずらして、より臨場感のある音声となるようにしたりする処理である。
【０１１７】
さらに、フィルタの処理とは、例えば、ユニットスピーカ５１のレイアウトによって、音声（音波）の周波数特性が変わってしまう場合があるので、スピーカ６１−Ｌ１乃至６１−Ｒ３のそれぞれが出力する音声（音波）の周波数が平均化されるように補正したり、ハイパスフィルタ（High-Pass Filter）またはローパスフィルタ（Low-Pass Filter）等からなるイコライザとして機能することによって、スピーカ６１−Ｌ１乃至６１−Ｒ３のそれぞれが出力する音声（音波）の周波数特性を変更することで、スピーカ６１−Ｌ１乃至６１−Ｒ３のそれぞれが出力する音声（音波）の音質を変更したりする処理である。
【０１１８】
信号処理部１５４−２は、信号処理部１５４−１と同様に、チューナ１５３−４乃至１５３−６のそれぞれから供給されてくる音声信号に対して、ボリューム調整の処理等の所定の処理を施して、処理の結果得られた音声信号を、スピーカ６１−Ｌ２およびスピーカ６１−Ｒ２のそれぞれに供給する。
【０１１９】
また、信号処理部１５４−３は、信号処理部１５４−１と同様に、チューナ１５３−７乃至１５３−９のそれぞれから供給されてくる音声信号に対して、ボリューム調整の処理等の所定の処理を施して、処理の結果得られた音声信号を、スピーカ６１−Ｌ３およびスピーカ６１−Ｒ３のそれぞれに供給する。
【０１２０】
スピーカ６１−Ｌ１およびスピーカ６１−Ｒ１のそれぞれは、信号処理部１５４−１から供給されてくる音声信号を音声として出力する。
【０１２１】
また、スピーカ６１−Ｌ１およびスピーカ６１−Ｒ１と同様に、スピーカ６１−Ｌ２およびスピーカ６１−Ｒ２のそれぞれは、信号処理部１５４−２から供給されてくる音声信号を音声として出力し、スピーカ６１−Ｌ３およびスピーカ６１−Ｒ３のそれぞれは、信号処理部１５４−３から供給されてくる音声信号を音声として出力する。
【０１２２】
なお、図９のブロック図には図示はしていないが、上述したように、スケーラブルテレビシステム１０１においては、スピーカ６１−Ｌ１乃至６１−Ｒ３のそれぞれに対応して、反射板６３−Ｌ１乃至６３−Ｒ３が所定の位置に配置されているので、その反射板６３−Ｌ１乃至６３−Ｒ３のそれぞれは、スピーカ６１−Ｌ１乃至６１−Ｒ３のそれぞれから出力されてくる音声（音波）を反射して、反射した音声を視聴者７１に視聴させる。
【０１２３】
また、以下の説明においては、チューナ１５３−１乃至１５３−９のそれぞれを個々に区別する必要がない場合、単に、チューナ１５３と称し、信号処理部１５４−１乃至１５４−３のそれぞれを個々に区別する必要がない場合、単に、信号処理部１５４と称する。
【０１２４】
次に、図１０のフローチャートを参照して、スケーラブルテレビシステム１０１による、音声出力の処理について説明する。
【０１２５】
ステップＳ１１において、アンテナ１５１は、地上波や放送衛星からの電波等の放送電波に対応するテレビジョン放送信号（放送信号）を受信し、受信した放送信号を分配器１５２に供給する。
【０１２６】
ステップＳ１２において、分配器１５２は、アンテナ１５１から供給されてくる放送信号をチューナ１５３に分配する。
【０１２７】
例えば、ステップＳ１２において、分配器１５２は、アンテナ１５１から供給されてくる放送信号を、表示装置１１１Ａに内蔵されたチューナ１５３−１、表示装置１１１Ｂに内蔵されたチューナ１５３−２、表示装置１１１Ｃに内蔵されたチューナ１５３−３、表示装置１１２Ａに内蔵されたチューナ１５３−４、表示装置１１２Ｂに内蔵されたチューナ１５３−５、表示装置１１２Ｃに内蔵されたチューナ１５３−６、表示装置１１３Ａに内蔵されたチューナ１５３−７、表示装置１１３Ｂに内蔵されたチューナ１５３−８、および表示装置１１３Ｃに内蔵されたチューナ１５３−９のそれぞれに供給する。
【０１２８】
ステップＳ１３において、チューナ１５３は、分配器１５２から供給される放送信号に対して、例えば、復調処理、エラー訂正処理、または復号処理等の所定の処理を施して、処理の結果得られた信号のうち、映像信号を表示装置の表示部（図示せず）に供給し、音声信号を信号処理部１５４に供給する。
【０１２９】
例えば、ステップＳ１３において、チューナ１５３−１乃至１５３−９のそれぞれは、視聴者７１によって、“１ｃｈ”である番組が選択されている場合、分配器１５２から供給される放送信号に対して、例えば、復調処理等の所定の処理を施して、処理の結果得られた信号のうち、“１ｃｈ”である番組の映像信号を、表示装置１１１Ａ乃至１１３Ｃのそれぞれの表示部（図示せず）に供給し、“１ｃｈ”である番組の音声信号を信号処理部１５４―１乃至１５４−３のそれぞれに供給する。
【０１３０】
このとき、表示装置１１１Ａ乃至１１３Ｃの表示部（図示せず）のそれぞれが、チューナ１５３−１乃至１５３−９のそれぞれから供給されてくる、“１ｃｈ”である番組の映像信号を表示させることで、表示装置１１１Ａ乃至１１３Ｃのディスプレイ全体に、“１ｃｈ”である番組における画像の全体を拡大した画像が表示される。
【０１３１】
ステップＳ１４において、信号処理部１５４は、チューナ１５３から供給されてくる音声信号に対して、例えば、ボリューム調整の処理、遅延の処理、またはフィルタの処理等の所定の処理を施して、処理の結果得られた音声信号をスピーカ６１に供給する。
【０１３２】
ここで、図１１を参照して、信号処理部１５４が行う所定の処理の詳細について説明する。図１１は、反射板６３−Ｌ１乃至６３−Ｒ２のそれぞれと視聴者７１との位置関係について説明する図である。
【０１３３】
図７に示す場合と同様の部分には、同一の符号が付してあり、その説明は（適宜）省略する。
【０１３４】
図１１で示される例において、視聴者７１とユニットスピーカ５１の水平方向の中心との距離（即ち、視聴者７１とユニットスピーカ５１との最短距離）が、距離ｄとなることを示し、円Ａは、その距離ｄを半径とする円である（図中では、説明を分かり易くするために、距離ｄが、実際の長さよりも、短く表現されている）。即ち、円Ａ上の位置と視聴者７１の位置との距離は、距離ｄで一定となる。
【０１３５】
また、反射板６３−Ｌ１の位置と視聴者７１の位置との距離は、距離ｄL1となる。同様に、反射板６３−Ｌ２の位置と視聴者７１の位置との距離は、距離ｄL2となり、反射板６３−Ｌ３の位置と視聴者７１の位置との距離は、距離ｄL3となる。即ち、反射板６３毎に視聴者７１との距離が、例えば、距離ｄL1、距離ｄL2、距離ｄL3（距離ｄL1＜距離ｄL2＜距離ｄL3）等のように変化する。従って、反射板６３に反射される音声においても、視聴者７１までの距離が異なるので、スピーカ６１−Ｌ１乃至６１−Ｌ３のそれぞれから出力される音声は、反射される反射板６３毎に、視聴者７１まで届く時間にずれが生じることになる。
【０１３６】
具体的には、反射板６３−Ｌ１乃至反射板６３−Ｌ３のそれぞれが反射させる音声は、距離ｄL1が、距離ｄよりもΔｄL1だけ長く、距離ｄL2が、距離ｄよりもΔｄL2だけ長く、距離ｄL3が、距離ｄよりもΔｄL3だけ長いので、視聴者７１までの距離に比例して、例えば、反射板６３−３によって反射される音声の位相は、反射板６３−１によって反射される音声の位相よりも、（ΔｄL3−ΔｄL1）の距離の分だけ遅延し、反射板６３−３によって反射される音声の位相は、反射板６３−２によって反射される音声の位相よりもよりも、（ΔｄL3−ΔｄL2）の距離の分だけずれる（遅延する）ことになる。
【０１３７】
信号処理部１５４は、所定の処理として、遅延の処理を行う場合、例えば、上述した、反射板６３−３によって反射される音声の位相が、反射板６３−１によって反射される音声の位相に対して、ずれないように補正したり、反射板６３−３によって反射される音声の位相が、反射板６３−２によって反射される音声の位相に対して、ずれないように補正する処理を行う。
【０１３８】
具体的には、例えば、遅延時間をΔｔ、視聴者７１と反射板６３との距離の差をΔｄ、および音波（音声）の速さである音速をｖとした場合、（Δｔ＝Δｄ／ｖ）となり、さらに、音速ｖの値は一定（例えば、摂氏０℃で約331.5（m/s））となるので、遅延時間Δｔは、距離の差Δｄから算出することができる。
【０１３９】
即ち、信号処理部１５４は、距離の差Δｄから遅延時間Δｔを算出し、算出した遅延時間Δｔに応じて、スピーカ６１から出力される音声の位相がずれる（遅延される）ように、チューナ１５３から供給されてくる音声信号に所定処理を施し、処理の結果得られた音声信号をスピーカ６１に供給する。
【０１４０】
なお、上述した例においては、ユニットスピーカ５１に配置されたスピーカ６１のうち、左チャンネルの、スピーカ６１−Ｌ１乃至６１−Ｌ３のそれぞれについて説明したが、右チャンネルの、スピーカ６１−Ｒ１乃至６１−Ｒ３のそれぞれについても同様であり、その説明は省略する。
【０１４１】
図１０のフローチャートに戻り、例えば、ステップＳ１４において、信号処理部１５４−１は、チューナ１５３−１乃至１５３−３のそれぞれから供給されてくる、“１ｃｈ”である番組の音声信号に対して、スピーカ６１−Ｌ１およびスピーカ６１−Ｒ１のそれぞれから出力される音声の位相が、（（ΔｄL3−ΔｄL1）／ｖ）だけずれる（遅延する）ように、遅延の処理を実行し、処理の結果得られた音声信号をスピーカ６１−Ｌ１および６１−Ｒ１のそれぞれに供給する。
【０１４２】
また、例えば、ステップＳ１４において、信号処理部１５４−２は、チューナ１５３−４乃至１５３−６のそれぞれから供給されてくる、“１ｃｈ”である番組の音声信号に対して、スピーカ６１−Ｌ２およびスピーカ６１−Ｒ２のそれぞれが出力する音声の位相が、（（ΔｄL3−ΔｄL2）／ｖ）だけずれる（遅延する）ように、遅延の処理を実行し、処理の結果得られた音声信号をスピーカ６１−Ｌ２および６１−Ｒ２のそれぞれに供給する。
【０１４３】
さらに、例えば、ステップＳ１４において、信号処理部１５４−３は、チューナ１５３−７乃至１５３−９のそれぞれから供給されてくる、“１ｃｈ”である番組の音声信号に対して、遅延の処理を実行せずに、その音声信号をスピーカ６１−Ｌ３および６１−Ｒ３のそれぞれに供給する。
【０１４４】
なお、この例の場合に、信号処理部１５４−３が遅延の処理を実行しないのは、ΔｄL3を基準に遅延時間Δｔを補正したため、スピーカ６１−Ｌ３およびスピーカ６１−Ｒ３のそれぞれが出力する音声を遅延させる必要がないので、信号処理部１５４−３は、遅延の処理を行わずに、音声信号をスピーカ６１−Ｌ３およびスピーカ６１−Ｒ３のそれぞれに供給することになる。
【０１４５】
また、上述した例では、ΔｄL3を基準に遅延時間Δｔを補正したが、本発明はそれに限らず、遅延時間Δｔを補正できる方法であればよい。
【０１４６】
ステップＳ１５において、スピーカ６１は、信号処理部１５４から供給されてくる音声信号を音声として出力して、処理は終了する。
【０１４７】
例えば、ステップＳ１５において、スピーカ６１−Ｌ１およびスピーカ６１−Ｒ１のそれぞれは、信号処理部１５４−１から供給されてくる、（（ΔｄL3−ΔｄL1）／ｖ）だけ遅延された“１ｃｈ”である番組の音声信号を音声として出力する。
【０１４８】
また、例えば、ステップＳ１５において、スピーカ６１−Ｌ２およびスピーカ６１−Ｒ２のそれぞれは、信号処理部１５４−２から供給されてくる、（（ΔｄL3−ΔｄL2）／ｖ）だけ遅延された“１ｃｈ”である番組の音声信号を音声として出力する。
【０１４９】
さらに、例えば、ステップＳ１５において、スピーカ６１−Ｌ３およびスピーカ６１−Ｒ３のそれぞれは、信号処理部１５４−３から供給されてくる“１ｃｈ”である番組の音声信号を音声として出力する。
【０１５０】
即ち、スピーカ６１−Ｌ１およびスピーカ６１−Ｒ１が出力する“１ｃｈ”である番組の音声の位相が、（ΔｄL3−ΔｄL1）／ｖ）だけずらされ、スピーカ６１−Ｌ２およびスピーカ６１−Ｒ２が出力する“１ｃｈ”である番組の音声の位相が、（ΔｄL3−ΔｄL2）／ｖ）だけずらされて視聴者７１に届くので、視聴者７１は、スピーカ６１−Ｌ１乃至６１−Ｒ３のそれぞれから出力されてくる、“１ｃｈ”である番組の音声の位相を、同一の位相で視聴することができることになる。
【０１５１】
また、スピーカ６１による、ステップＳ１５の処理であるが、上述した以外にも、様々な方法で音声を出力することができる。従って、以下、図１２乃至図１４を参照して、複数の組のスピーカ６１から構成されるユニットスピーカ５１が出力する音声について説明する。
【０１５２】
まず、図１２を参照して、ユニットスピーカ５１のＬチャンネルとＲチャンネルとの関係について説明する。
【０１５３】
図１２で示される例において、Ｌチャンネルのうち、Ｌ１が、スピーカ６１−Ｌ１および反射板６３−Ｌ１等からなり、Ｌ１チャンネルの音声を出力することを示し、Ｌ２が、スピーカ６１−Ｌ２および反射板６３−Ｌ２等からなり、Ｌ２チャンネルの音声を出力することを示し、Ｌ３が、スピーカ６１−Ｌ３および反射板６３−Ｌ３等からなり、Ｌ３チャンネルの音声を出力することを示している。また、Ｒチャンネルのうち、Ｒ１が、スピーカ６１−Ｒ１および反射板６３−Ｒ１等からなり、Ｒ１チャンネルの音声を出力することを示し、Ｒ２が、スピーカ６１−Ｒ２および反射板６３−Ｒ２等からなり、Ｒ２チャンネルの音声出力することを示し、Ｒ３が、スピーカ６１−Ｒ３および反射板６３−Ｒ３などからなり、Ｒ３チャンネルの音声を出力することを示す。なお、後述する、図１３および図１４においても同様に説明する。
【０１５４】
図１２のユニットスピーカ５１は、中心軸ａを対称にして、ＬチャンネルであるＬ１とＲチャンネルであるＲ１とが対になり、ＬチャンネルであるＬ２とＲチャンネルであるＲ２とが対になり、ＬチャンネルであるＬ３とＲチャンネルであるＲ３とが対になるように構成される。
【０１５５】
例えば、信号処理部１５４−１乃至１５４−３のそれぞれが、音声信号をスピーカ６１−Ｌ１乃至６１−Ｒ３のそれぞれに供給することで、Ｌ１乃至Ｒ３のそれぞれは、音声を出力し、視聴者７１に対して、左右の広がりのある音声を視聴させる。
【０１５６】
次に、図１３を参照して、ユニットスピーカ５１のスピーカ６１単体による音声の出力について説明する。
【０１５７】
図１３Ａにおいては、Ｌ３およびＲ３のみがハッチングされているが、これは、ユニットスピーカ５１のスピーカ６１のうち、Ｌ３のスピーカ６１−Ｌ３およびＲ３のスピーカ６１−Ｒ３のそれぞれから音声が出力され、それ以外の、スピーカ６１−Ｌ１乃至６１−Ｒ２のそれぞれからは、音声が出力されないことを示す。例えば、ユニット１０２−３の表示装置１１３Ａ乃至１１３Ｃにのみ画像を表示させる場合、信号処理部１５４−３が、音声信号をスピーカ６１−Ｌ３およびスピーカ６１−Ｒ３のそれぞれに供給することで、スピーカ６１−Ｌ３およびスピーカ６１−Ｒ３のそれぞれは、音声を出力し、視聴者７１に対して、左右の広がりのある音声を視聴させる。
【０１５８】
図１３Ｂにおいては、Ｌ２およびＲ２のみがハッチングされているが、これは、ユニットスピーカ５１のスピーカ６１のうち、Ｌ２のスピーカ６１−Ｌ２およびＲ２のスピーカ６１−Ｒ２のそれぞれから音声が出力され、それ以外の、スピーカ６１−Ｌ１、スピーカ６１−Ｒ１、スピーカ６１−Ｌ３、およびスピーカ６１−Ｒ３のそれぞれからは、音声が出力されないことを示す。例えば、ユニット１０２−２の表示装置１１２Ａ乃至１１２Ｃにのみ画像を表示させる場合、信号処理部１５４−２が、音声信号をスピーカ６１−Ｌ２およびスピーカ６１−Ｒ２のそれぞれに供給することで、スピーカ６１−Ｌ２およびスピーカ６１−Ｒ２のそれぞれは、音声を出力し、視聴者７１に対して、左右の広がりのある音声を視聴させる。
図１３Ｃにおいては、Ｌ１およびＲ１のみがハッチングされているが、これは、ユニットスピーカ５１のスピーカ６１のうち、Ｌ１のスピーカ６１−Ｌ１およびＲ１のスピーカ６１−Ｒ１のそれぞれから音声が出力され、それ以外の、スピーカ６１−Ｌ２乃至６１−Ｒ３のそれぞれからは、音声が出力されないことを示す。例えば、ユニット１０２−１の表示装置１１１Ａ乃至１１１Ｃにのみ画像を表示させる場合、信号処理部１５４−１が、音声信号をスピーカ６１−Ｌ１およびスピーカ６１−Ｒ１のそれぞれに供給することで、スピーカ６１−Ｌ１およびスピーカ６１−Ｒ１のそれぞれは、音声を出力し、視聴者７１に対して、左右の広がりのある音声を視聴させる。
【０１５９】
このように、ユニットスピーカ５１のスピーカ６１−Ｌ１乃至６１−Ｒ３は、それぞれが単体で音声を出力することができるので、例えば、スケーラブルテレビシステム１０１において、表示装置１１１Ａ乃至１１３Ｃのそれぞれに表示させる画像によって、音声を出力するスピーカ６１を変更する等、様々な用途に合わせて使用すること可能となる。
【０１６０】
次に、図１４を参照して、ユニットスピーカ５１のスピーカ６１による種々の音声の出力について説明する。
【０１６１】
図１４で示される例において、対になっている、Ｌ１とＲ１、Ｌ２とＲ２、およびＬ３とＲ３とが、それぞれ同様の音声を出力していることを示している。
【０１６２】
例えば、上述したように、遅延の処理を行う場合、信号処理部１５４−１は、Ｌ１のスピーカ６１−Ｌ１およびＲ１のスピーカ６１−Ｒ１のそれぞれが出力する音声の位相と、Ｌ３のスピーカ６１−Ｌ３およびＲ３のスピーカ６１−Ｒ３のそれぞれが出力する音声の位相とが一致するように処理し、信号処理部１５４−２は、Ｌ２のスピーカ６１−Ｌ２およびＲ２のスピーカ６１−Ｒ２のそれぞれが出力する音声の位相と、Ｌ３のスピーカ６１−Ｌ３およびＲ３のスピーカ６１−Ｒ３のそれぞれが出力する音声の位相とが一致するように処理する。その結果、視聴者７１は、スピーカ６１−Ｌ１乃至６１−Ｒ３（Ｌ１乃至Ｒ３）のそれぞれから出力される音声を同一の位相で視聴できるとともに、そのスピーカ６１−Ｌ１乃至６１−Ｒ３（Ｌ１乃至Ｒ３）のそれぞれによって出力される音声は、対になっているチャンネル毎に変化していることになる。
【０１６３】
また、それ以外でも、信号処理部１５４が、音声信号に対して、例えば、上述した、ボリューム調整の処理またはフィルタの処理等の所定の処理を行い、所定の処理が施された音声信号をスピーカ６１に供給することで、対になっているチャンネル毎に出力する音声を変化させることもできる。さらに、Ｌ１とＲ１のように、対になっているチャンネル同士であっても、例えば、Ｌ１およびＲ１のそれぞれが出力する音声の周波数を異なるようにすることで、それぞれが出力する音声を変化させることもできる。
【０１６４】
このように、チャンネル毎に、例えば、位相、音圧、または周波数等を変化させた音声を出力させることができるので、視聴者７１に対して、より臨場感のある音や、より高音質の音を提供することができる。
【０１６５】
ところで、上述した例においては、ユニットスピーカ５１を組み込んだスケーラブルテレビシステム１０１について説明したが、本発明は、それに限らず、音声を出力する様々な機器に適用することができる。従って、以下、本発明の一実施の形態の他の構成として、ユニットスピーカ５１を組み込んだオーディオシステム２０１について説明する。
【０１６６】
図１５は、本発明を適用したオーディオシステム２０１の一実施の形態を示すブロック図である。
【０１６７】
図９に示す場合と同様の部分には、同一の符号が付してあり、その説明は（適宜）省略する。
【０１６８】
オーディオシステム２０１は、スピーカ６１−Ｌ１乃至６１−Ｒ３、音楽プレーヤ２１１、分配器２１２、および信号処理部２１３−１乃至２１３−３を含むように構成される。
【０１６９】
音楽プレーヤ２１１は、例えば、CD（Compact Disc）、MD（MiniDisc（商標））、若しくはメモリカード等のメディアを装着し、そのメディアに記録されている音声信号を再生するか、またはHDD（Hard Disk Drive）等に記録されている音声信号を再生する機器であり、再生した音声信号を分配器２１２に供給する。
【０１７０】
分配器２１２は、音楽プレーヤ２１１から供給されてくる音声信号を、信号処理部２１３−１乃至２１３−３のそれぞれに分配する。
【０１７１】
信号処理部２１３−１は、分配器２１２から供給されてくる音声信号に対して、例えば、ボリューム調整の処理、遅延の処理、またはフィルタの処理等の所定の処理を施して、処理の結果得られた音声信号を、スピーカ６１−Ｌ１およびスピーカ６１−Ｒ１のそれぞれに供給する。
【０１７２】
また、信号処理部２１３−２は、信号処理部２１３−１と同様に、分配器２１２から供給されてくる音声信号に対して、例えば、ボリューム調整の処理等の所定の処理を施して、処理の結果得られた音声信号を、スピーカ６１−Ｌ２およびスピーカ６１−Ｒ２のそれぞれに供給する。
【０１７３】
また、信号処理部２１３−３は、信号処理部２１３−１と同様に、分配器２１２から供給されてくる音声信号に対して、例えば、ボリューム調整の処理等の所定の処理を施して、処理の結果得られた音声信号を、スピーカ６１−Ｌ３およびスピーカ６１−Ｒ３のそれぞれに供給する。
【０１７４】
なお、図示はしていないが、オーディオシステム２０１においても、スピーカ６１−Ｌ１乃至６１−Ｒ３のそれぞれに対応して、反射板６３−Ｌ１乃至６３−Ｒ３のそれぞれが所定の位置に配置されており、その反射板６３−Ｌ１乃至６３−Ｒ３のそれぞれは、スピーカ６１−Ｌ１乃至６１−Ｒ３のそれぞれから出力されてくる音声（音波）を反射して、反射した音声を視聴者７１に視聴させる。
【０１７５】
このように、本発明は、音声を出力するオーディオシステム２０１にも適用することができる。
【０１７６】
また、上述した、スケーラブルテレビシステム１０１とオーディオシステム２０１とを組み合わせて、スケーラブルテレビシステム１０１に表示される画像に対して、オーディオシステム２０１から音声を出力するようにしてもよい。具体的には、スケーラブルテレビシステム１０１が表示している画像に対応して、その画像の音声を出力せずに、音楽プレーヤ２１１が再生した音声をユニットスピーカ５１から出力するようにすることもできる。
【０１７７】
以上のように、本発明によれば、ユニットスピーカ５１に配置される複数のスピーカ６１から、高音質な音声を出力することができる。また、ユニットスピーカ５１は、信号処理部１５４が音声信号に対して、所定の処理を行うことで、視聴者７１に対して、臨場感のある音を提供することができる。
【０１７８】
なお、ユニットスピーカ５１においては、左右３組（６個）のスピーカ６１を一例にして説明したが、本発明はそれに限らず、例えば、スケーラブルテレビシステム１０１の９台の表示装置に合わせて、左右９組（１８個）のスピーカ６１を配置するようにしてもよい。その場合には、それらのスピーカ６１に対応した所定の位置に、反射板６３も配置されることになる。即ち、ユニットスピーカ５１は、任意の複数個のスピーカ６１と、そのスピーカ６１に対応した反射板６３とを配置して構成することができる。
【０１７９】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１８０】
さらに、本明細書において、システムとは、複数の装置により構成される装置全体を表すものである。
【図面の簡単な説明】
【０１８１】
【図１】従来のユニットスピーカの外観を示す図である。
【図２】スピーカの外観を示す図である。
【図３】本発明を適用したユニットスピーカの外観の例を示す図である。
【図４】反射板による音波の反射について説明する図である。
【図５】ユニットスピーカにおいて、反射板を挿入した場合と、反射板を挿入しない場合との関係を示すグラフである。
【図６】複数の組のスピーカから構成される、本発明を適用したユニットスピーカの外観の例を示す図である。
【図７】複数の組の反射板による音波の反射について説明する図である。
【図８】本発明を適用したスケーラブルテレビシステムの一実施形態に係る構成例を示す図である。
【図９】本発明を適用したスケーラブルテレビシステムの一実施の形態を示すブロック図である。
【図１０】スケーラブルテレビシステムによる、音声出力の処理について説明するフローチャートである。
【図１１】反射板のそれぞれと視聴者との位置関係について説明する図である。
【図１２】ユニットスピーカのＬチャンネルとＲチャンネルとの関係について説明する図である。
【図１３】ユニットスピーカのスピーカ単体による音声の出力について説明する図である。
【図１４】ユニットスピーカのスピーカによる種々の音声の出力について説明する図である。
【図１５】本発明を適用したオーディオシステムの一実施形態に係る構成例を示す図である。
【符号の説明】
【０１８２】
５１  ユニットスピーカ，  ６１−Ｌ１乃至６１−Ｒ３および６１  スピーカ，  ６２−Ｌ１乃至６２−Ｒ３および６２  境界板，  ６３−Ｌ１乃至６３−Ｒ３および６３  反射板，  １０１  スケーラブルテレビシステム，  １０２−１乃至１０２−３  ユニット，  １１１Ａ乃至１１３Ｃ  表示装置，  １５１  アンテナ，  １５２  分配器，  １５３−１乃至１５３−９および１５３  チューナ，  １５４−１乃至１５４−３および１５４  信号処理部，  ２０１  オーディオシステム，  ２１１  音楽プレーヤ，  ２１２  分配器，  ２１３−１乃至２１３−３および２１３  信号処理部
【図１】
2006324942.tif 000003
【図２】
2006324942.tif 000004
【図３】
2006324942.tif 000005
【図４】
2006324942.tif 000006
【図５】
2006324942.tif 000007
【図６】
2006324942.tif 000008
【図７】
2006324942.tif 000009
【図８】
2006324942.tif 000010
【図９】
2006324942.tif 000011
【図１０】
2006324942.tif 000012
【図１１】
2006324942.tif 000013
【図１２】
2006324942.tif 000014
【図１３】
2006324942.tif 000015
【図１４】
2006324942.tif 000016
【図１５】
2006324942.tif 000017